(57)【要約】  靴の製造者、靴の販売者および靴の購入者のすべてに対して利便性を発揮する、モジュール式の靴を提供する。アウターソール（１）と、アウターソール（１）上に配置されるインナーソール（５）と、インナーソール（５）を挿入することが可能なアッパーソックス（６）とを備え、アウターソール（１）、インナーソール（５）及びアッパーソックス（６）がそれぞれ取り外し可能且つ交換可能であり、アウターソール（１）とインナーソール（５）又はアウターソール（１）とインナーソール（５）とアッパーソックス（６）とを結合するための第一のリボン（２）とを備える。
2019163480.tif 000002
【特許請求の範囲】
【請求項１】
アウターソールと、該アウターソール上に配置されるインナーソールと、該インナーソールを挿入することが可能なアッパーソックスとを備え、上記アウターソール、インナーソール及びアッパーソックスがそれぞれ取り外し可能且つ交換可能であり、上記アウターソールとインナーソール又はアウターソールとインナーソールとアッパーソックスとを結合するための第一のリボンとを備えることを特徴とする靴。
【請求項２】
第一のリボンと接続することが可能な靴紐を備えることを特徴とする請求項１記載の靴。
【請求項３】
インナーソールがつま先部と踵部を覆う形状を備え、防水加工が施されていることを特徴とする請求項１または２記載の靴。
【請求項４】
アッパーソックスが足の外形に沿う形状を備えていることを特徴とする請求項１ないし３のいずれか１項に記載の靴。
【請求項５】
第一のリボンの幅が３ｍｍ以上３０ｍｍ以下であって靴紐より幅広であり、第一のリボンの５％伸長時の応力が０．３〜２．５Ｎ／ｍｍであることを特徴とする請求項１ないし４のいずれか１項に記載の靴。
【請求項６】
アウターソールの後端部に第二のリボンを有し、第二のリボンの内側表面とインナーソールの対応する部分には面ファスナーが設けられていることを特徴とする請求項１ないし５のいずれか１項に記載の靴。
【請求項７】
第二のリボンの幅が５ｍｍ以上３０ｍｍ以下であり、第二のリボンの５％伸長時の応力が０．３〜２．５Ｎ／ｍｍであることを特徴とする請求項６記載の靴。
【請求項８】
第二のリボンが固定されていることを特徴とする請求項６または７記載の靴。
【請求項９】
第二のリボンが取り外し可能且つ交換可能であることを特徴とする請求項６または７記載の靴。
【請求項１０】
アッパーソックスに第一のリボンを挿通するための開口を有することを特徴とする請求項１ないし９のいずれか１項に記載の靴。
【請求項１１】
アッパーソックスが第一のリボンを挿通するための開口を有する靴下状繊維構造物からなることを特徴とする請求項１ないし９のいずれか１項に記載の靴。
【請求項１２】
アッパーソックスが編物製であることを特徴とする請求項１ないし１１のいずれか１項に記載の靴。
【請求項１３】
アッパーソックスが丸編みであることを特徴とする請求項１２記載の靴。
【請求項１４】
アッパーソックスがポリエステル繊維製であることを特徴とする請求項１ないし１３のいずれか１項に記載の靴。
【請求項１５】
第一のリボンが複数本からなり、各第一のリボンがアウターソールに固定されていることを特徴とする請求項１ないし１４のいずれか１項に記載の靴。
【請求項１６】
各第一のリボンの先端部に係止部を有することを特徴とする請求項１ないし１５のいずれか１項に記載の靴。
【請求項１７】
請求項１ないし１６のいずれか１項に記載のアウターソールと、インナーソールと、アッパーソックスと、第一のリボンとを備えることを特徴とする靴用キット。
【請求項１８】
請求項１７の靴用キットに記載のインナーソールをアッパーソックスに挿入してアウターソール上に配置し、インナーソールを抱き込むようにアウターソールとインナーソール又はアウターソールとインナーソールとアッパーソックスとを第一のリボンで結合することを特徴とする靴用キットを用いた靴の組み立て方法。
【発明の詳細な説明】
【技術分野】
【０００１】
本発明は靴に関し、特に、組み立て式の靴に関する。
【背景技術】
【０００２】
一般的に、靴は特定の用途に適化されており、人々は異なる目的のために多数の異なる種類の靴を所有している。例えば、異なる靴が、歩行用、ハイキング用、運動競技用、又は公式行事用に用いられている。たとえ同じカテゴリーに属する靴であっても、雪に適したハイキングシューズ、湿地に適したシューズ、乾いた地形での長距離ハイキングにおいて快適であるように設計された軽量シューズなど、多数の靴が必要である。同様にフォーマルな履物であっても、衣服や行事の種類に応じて色彩や様式が異なる種々の靴が用いられている。【０００３】
また、一般的な靴は、甲皮の部分と、インナーソールの部分と、アウターソールの部分とがすべて固定されて成形されている。従って、単一の靴のデザインや色をユーザが自由に変えることは一般的には不可能である。ユーザは、複数の靴を所有することで、その都度、着る服や持ち運ぶ鞄等のデザインや色に合わせて一つの靴を選び出して使用しているのが現状である。【０００４】
このような課題に対して、以下のような解決手段が提案されている。特許文献１は、靴底、かかと革および先芯へ挿入され得る弾性の上部、または、それらから取り外され得る弾性の上部を有する運動靴を開示している。しかし、先芯およびかかと革の部分は、靴底と機械的に接続され、変更可能ではない。この靴のさらなる不十分な点は、上部のパートのみが変更可能であるということである。【０００５】
また、特許文献２は、雄／雌溝の締め具によって、共に外すことが可能なように繋げられた上部分および底かかと部分を有する靴を開示している。この靴の上部分は、上部の後部分および上部に開けられた紐通しの穴を含んでいる。この靴の不十分な点は、踏面が中底に接続されているので、独立して変更可能ではないことである。この靴の更なる不十分な点は、上部のパートのみが変更可能であることである。【０００６】
さらに、特許文献３は、取り外し可能な中物を有するリバーシブルの靴を開示している。この靴の上部は表底と繋がれている。この靴の不十分な点は、上部が中物上にあって、上部を適所に支えるためにジッパーを有することである。ジッパーは、少なくとも部分的に目に見え、壊れやすい。この靴の他の不十分な点は、靴の先皮が中物と共に形成され、交換可能でないことである。この靴の更なる不十分な点は、上部が完全には交換可能でないことである。
【先行技術文献】
【特許文献】
【０００７】
【特許文献１】米国特許第１，８０３，５５４号明細書
【特許文献２】米国特許第５，０６５，５３１号明細書
【特許文献３】米国特許第５，８２２，８８８号明細書
【発明の概要】
【発明が解決しようとする課題】
【０００８】
本発明は、前記従来技術の有する問題点に鑑みてなされたものであって、靴の製造者、靴の販売者および靴の購入者のすべてに対して利便性を発揮する、モジュール式の靴を提供することを目的とする。
【課題を解決するための手段】
【０００９】
上記課題を解決するために本発明の靴は、アウターソールと、該アウターソール上に配置されるインナーソールと、該インナーソールを挿入することが可能なアッパーソックスとを備え、上記アウターソール、インナーソール及びアッパーソックスがそれぞれ取り外し可能且つ交換可能であり、上記アウターソールとインナーソール又はアウターソールとインナーソールとアッパーソックスとを結合するための第一のリボンとを備えることを特徴としている。【００１０】
第一のリボンと接続することが可能な靴紐を備えることが好ましい。【００１１】
インナーソールがつま先部と踵部を覆う形状を備え、防水加工が施されていることが好ましい。【００１２】
アッパーソックスが足の外形に沿う形状を備えていることが好ましい。【００１３】
第一のリボンの幅が３ｍｍ以上３０ｍｍ以下であって靴紐より幅広であり、第一のリボンの５％伸張時の応力が０．３〜２．５Ｎ／ｍｍであることが好ましい。【００１４】
アウターソールの後端部に第二のリボンを有し、第二のリボンの内側表面とインナーソールの対応する部分にはファスナー又はボタンが設けられていることが好ましい。【００１５】
第二のリボンの幅が５ｍｍ以上３０ｍｍ以下であり、第二のリボンの５％伸張時の応力が０．３〜２．５Ｎ／ｍｍであることが好ましい。【００１６】
第二のリボンは固定することが好ましいが、第二のリボンを取り外し可能且つ交換可能とすることもできる。【００１７】
アッパーソックスに第一のリボンを挿通するための開口を有することが好ましい。【００１８】
アッパーソックスが第一のリボンを挿通するための開口を有する靴下状繊維構造物からなることが好ましい。【００１９】
アッパーソックスが編物製であることが好ましい。【００２０】
アッパーソックスが丸編みであることが好ましい。【００２１】
アッパーソックスがポリエステル繊維製であることが好ましい。【００２２】
第一のリボンが複数本からなり、各第一のリボンがアウターソールに固定されていることが好ましい。【００２３】
各第一のリボンの先端部に係止部を有することが好ましい。【００２４】
また、本発明の靴用キットは、上記のいずれかのアウターソールと、インナーソールと、アッパーソックスと、第一のリボンとを備えることを特徴としている。【００２５】
さらに、本発明の靴用キットを用いた靴の組み立て方法は、インナーソールをアッパーソックスに挿入してアウターソール上に配置し、インナーソールを抱き込むようにアウターソールとインナーソール又はアウターソールとインナーソールとアッパーソックスとを第一のリボンで結合することを特徴としている。このように、第一のリボンで結合することで、着用中にインナーソールが足の動きに追従し、足がインナーソール内でずれにくく、フィット性が向上し、安定性が増加する。【００２６】
さらに、本発明の靴用キットを用いた靴の組み立て方法は、インナーソールをアッパーソックスに挿入してアウターソール上に配置し、第一のリボンをアッパーソックスの上に配置し、インナーソールを抱き込むようにアウターソールとインナーソール又はアウターソールとインナーソールとアッパーソックスとを第一のリボンで結合することを特徴としている。このように、第一のリボンで結合することで、着用中にインナーソールが足の動きに追従し、足がインナーソール内でずれにくく、フィット性が向上し、安定性が増加する。【００２７】
一般的な靴の底材に相当するアウターソールの材料は、限定されるものではないが、革製でも、合成ゴムや合成樹脂を成型したものでも、合成ゴムや合成樹脂を発泡し成型したものでも、天然ゴムを原料とし加硫したものでもよい。【００２８】
本発明のインナーソールは一般的な靴の中敷きに相当し、本発明のアッパーソックスは一般的な靴のアッパー材に相当し、インナーソールおよびアッパーソックスの材料は、限定されるものではないが、天然皮革製、人工皮革製、合成皮革製（織物、編物、不織布等の繊維製シートにウレタンやナイロンなどの樹脂をコーティングしたもの）、天然繊維製、合成繊維製を採用することができる。【００２９】
本発明に用いられる第一のリボンは、アウターソール及びインナーソールと着用者の足を繋ぎ止める重要な部材であり、その材料は限定されるものではないが、天然皮革製、人工皮革製、合成皮革製（織物、編物、不織布等の繊維製シートにウレタンやナイロンなどの樹脂をコーティングしたもの）、天然繊維製、合成繊維製を採用することができる。特に、強度や耐久性及びしなやかさの点から繊維製が好ましく、特に合成繊維製が好ましく、かつその寸法安定性の点から織物であることがさらに好ましい。また、組み立て作業を容易にし、はきやすくするために設けられる第二のリボンの材料は、この段落に記載されたものから採用することができる。
【発明の効果】
【００３０】
本発明の靴は複数の部品から構成されており、以下のような効果がある。
靴の製造者は靴を組み立てる設備が不要であるから、設備の簡便化が図れる。特に、一般的な靴は、その複雑な立体形状から、つま先部や踵部のアッパー材をソールに接着又は縫製する作業には永年の経験と器用さが必要とされるが、本発明の靴ではそのような経験も器用さも不要である。また、各部品に特化した機能を備えたものを提供すればよく、材料および形状の設計から製造に至るプロセスの管理が容易である。さらに、各部品の形状は製品である靴に比べて比較的簡単な形状であるから、材料のロスが少なくなる。【００３１】
本発明の靴の販売者は、アウターソール、インナーソール、アッパーソックスの３つの部品を別々に売ることができるので、在庫量を大幅に減少することができる。すなわち、完成品としての靴を売る場合であれば、在庫量はデザインの種類数とサイズ数を乗じた分だけ持つ必要があるが、本発明によれば、在庫量は各部品の足し算でよいからである。例えば、アッパー材のデザインが１０種類、アウターソールの形状や硬度の違うものが５種類あるとすれば、その組み合わせは５０種類となり、例えば一般的な靴のサイズである２４ｃｍから２８．５ｃｍまでを０．５ｃｍ刻みで揃えるとすると、１０サイズとなり、合計５００足の在庫が必要となる。しかし、本発明によれば、インナーソールは共通して使用できるので、サイズ別に１０足分、アッパーソックスのデザイン違いとサイズ数を掛け合わせて、１００足分、アウターソールの形状や硬度の違いとサイズ数を掛け合わせて、５０足分、すなわち合計で１６０セットのパーツを在庫として持てばよいことになる。特に、アッパーソックスに適度のストレッチ性を持たせれば、いくつかのサイズで兼用できることとなり、さらに在庫量を減らすことが可能である。また、完成品に比べて部品はかさばらないので袋に入れて吊り下げて販売することが可能であり、店舗及び在庫スペースを削減することができる。【００３２】
本発明の靴の購入者は、各個人の好みに合わせて部品の組み合わせを換えることにより、個性的な靴を装着することができる。また、アッパーソックスのみを交換することで、何種類ものデザインを変更することができ、経済的である。加えて、インナーソールとアッパーソックスを洗濯することができるので、いつまでも清潔である。さらに、必要に応じて、インナーソールを、つま先部と踵部を覆う形状で、防水加工が施されたものに交換するだけで、雨の日にも足が直接濡れることなく快適に履くことができる。
【図面の簡単な説明】
【００３３】
【図１】図１（ａ）、（ｂ）は、本発明の靴の構成部品であるアウターソールの概略図である。
【図２】図２（ａ）、（ｂ）は、本発明の靴の別の構成部品であるインナーソールの概略図である。
【図３】図３（ａ）、（ｂ）は、本発明の靴のさらに別の構成部品であるアッパーソックスの概略図である。
【図４】図４は、本発明の靴のさらに別の構成部品である靴紐の概略図である。
【図５】図５（ａ）は、インナーソールをアッパーソックスに挿入した状態の一実施形態を示す斜視図であり、図５（ｂ）は、インナーソールをアッパーソックスに挿入した状態の別の一実施形態を示す斜視図である。
【図６】図６は、アウターソールに固定した第一のリボンと第二のリボンを、アッパーソックスとインナーソールの間に挿通する状態の一実施形態の一部を示す図である。
【図７】図７は、アウターソールに固定した第一のリボンと第二のリボンを、アッパーソックスとインナーソールの間に挿通する状態の一実施形態（図６と同じ実施形態）の別の一部を示す図である。
【図８】図８は、アウターソールに固定した第一のリボンを、アッパーソックスとインナーソールの間に挿通する状態の一実施形態（図６と同じ実施形態）の別の一部を示す図である。
【図９】図９は、アウターソールに固定した第一のリボンを、アッパーソックスとインナーソールの間に挿通する状態の一実施形態（図６と同じ実施形態）の別の一部を示す図である。
【図１０】図１０は、図９に示す第一のリボンと靴紐を接続して、靴紐を結んだ状態の一実施形態を示す図である。
【図１１】図１１は、図１０からアッパーソックスを取り除いた状態を示す図である。
【図１２】図１２は、アウターソールに固定した第一のリボンがアッパーソックスを外から覆うように、第一のリボンを配置した一実施形態の一部を示す図である。
【図１３】図１３は、図１２に示す第一のリボンと靴紐を接続して、靴紐を結んだ一実施形態を示す図である。
【発明を実施するための形態】
【００３４】
以下に本発明の実施の形態について説明するが、本発明の技術的範囲を逸脱しない範囲において様々な変更や修正が可能であることは言うまでもない。
【００３５】
図１〜図４は、本発明の靴の一例としての構成部品の概略図である。図１（ａ）において、１はアウターソール、２は長尺状の第一のリボンであり、複数本の各第一のリボン２の長手方向中間部がアウターソール１に固定されている。各第一のリボン２の長手方向両端部には環状のリング状係止部３を有している。図１（ａ）のように、第一のリボン２の両端部にリング状係止部３を有し、第一のリボン２の中間部をアウターソール１に固定する方法は組み立て作業が効率的であるが、より短いリボンを用いて、その一方の端部をアウターソールに接着またはその他の方法で固定し、他方の端部にリング状係止部を有するものでもよい。また、アウターソール１の後端部にもアウターソール１に固定された第二のリボン４を有している。この第二のリボン４の内側表面には面ファスナー（雄型）４ａが設けられている。または、図１（ｂ）のように、第一のリボン２−１を環状にし、その両端部をアウターソール１−１に接着またはその他の方法で固定してもよい。また、面ファスナー（雄型）４ａに対応するインナーソール５の部分にも面ファスナー５ａ（雌型（図６、図７参照））が設けられているので、これによりアウターソール１にインナーソール５を取り付ける際の位置決めが容易になるとともに、位置決めの微調整も容易となるので好ましい。このように、面ファスナーによってアウターソールとインナーソールを連結することで、足を抜いた状態でも固定した状態を作ることができるので好ましい。なお、第二のリボン４の面ファスナー４ａを雌型とし、インナーソール５に設ける面ファスナー５ａを雄型としてもよい。要するに、第二のリボン４とインナーソール５の対応する部分には、それぞれ面ファスナーが設けられていれば、足を抜いた状態でも固定した状態を作ることができるので好ましい。なお、第二のリボン４は取り外し可能且つ交換可能とすることもできる。
【００３６】
図２（ａ）（ｂ）において、５、５−１は足を挿入するのに適した内面を有するインナーソールである。インナーソール５、５−１は少なくともその内部が足の外形に沿う形状を備えており、つま先部と踵部を覆うことが可能であり、さらに防水加工が施されていれば、雨の日に足が濡れなくなるので好ましい。また、インナーソール５、５−１がメッシュ状であれば、通気性に優れるので好ましい。なお、インナーソール５、５−１は足全体を覆うのではなく、一般的なインナーソールと同様に足の裏部のみに接する平面形状でもよいが、着用していないときの保形性や見栄えを考慮すると、着用者のつま先部と踵部を包み込むような形状を備えていることが好ましい。濡れない着用シーンを想定すれば、通気性の高いメッシュ素材を用いると、蒸れ感が軽減されて好ましい。
【００３７】
図３（ａ）（ｂ）において、６、６−１は、それぞれインナーソール５、５−１を挿入することが可能なアッパーソックスである。なお、一般的なアッパー材は足の甲部分のみに配置され、足の裏まで回り込ませることは一般的ではないが、本発明に用いるアッパーソックス６、６−１は足の外形に沿う形状を備えており、まさに靴下状であり、足の裏も包み込んでいる。アッパーソックス６、６−１は靴下状の袋形状であることが好ましい。また、一般的な靴下は足指上方に縫製ラインを有するが、アッパーソックスに用いる際には意匠性が問題となる為、縫製ラインは足指裏部に配することが更に好ましい。アッパーソックス６の底部には複数の開口６ａが設けられるとともに、アッパーソックス６の甲部にも複数の開口６ｂが設けられていることが好ましい。この開口６ａ、６ｂが第一のリボン２を通す穴となる。７は靴紐である。
【００３８】
アッパーソックスは繊維構造物であると、足の外形に沿いやすく、意匠性に優れる点で好ましい。アッパーソックス６、６−１が編物製であれば、履き心地や意匠性ならびに洗濯時の取り扱いやすさの観点から好ましく、インナーソールの形状に合わせて編みたてることも可能であるし、また厳密に形状をなぞらずともインナーソールに沿わせることも可能である点で優れる。さらに、アッパーソックス６、６−１が丸編であれば、製造コストの低減化を図る上で好ましい。また、アッパーソックス６、６−１がポリエステル繊維製であれば、耐久性の点で好ましい。加えて、保形性の為に、アッパーソックス６、６−１に部分的に融着糸を挿入し、熱処理により隣接する糸と融着させたり、樹脂コートやフィルムラミネーションを部分的に施して、硬度を上げることも好ましい。
【００３９】
図５（ａ）に示すように、インナーソール５がアッパーソックス６に挿入され、図５（ｂ）に示すように、インナーソール５−１がアッパーソックス６−１に挿入される。
【００４０】
図６に示すように、各第一のリボン２の長手方向中間部はアウターソール１に、鋲８で固定されている。なお、このような鋲８を用いずに、アウターソールの射出成型時にリボンを固定できる形状にしても良いし、上記のように第一のリボン２をアウターソール１に接着するか又は縫製によって結合してもよい。またアウターソール１にリング状係止部等を設けて第一のリボン２をそのリング状係止部を通してアウターソールとインナーソール等の部材と結合できるようにしてもよい。まず、第二のリボン４をアッパーソックス６に形成された開口６ｃを通してアッパーソックス６とインナーソール５の間に挿入し、第二のリボン４に設けた面ファスナー４ａ（図１（ａ）参照）とインナーソール５に設けた面ファスナー５ａ（図６、図７参照）を結合すれば、この後の組み立て作業が容易になるので好ましい。履き心地を良くするためには、第二のリボン４の幅が５ｍｍ以上３０ｍｍ以下であり、第二のリボン４の５％伸張時の応力が０．３〜２．５Ｎ／ｍｍであることが好ましく、０．５〜２．０Ｎ／ｍｍであることがより好ましい。アウターソール１のつま先部にも後端部の面ファスナー付き第二のリボン４と同じような面ファスナー付きリボンを設け、インナーソール５に設けた、対となる面ファスナーと結合するようにすれば、さらに組み立て作業が容易になるので一層好ましい。図７と図８と図９に示すように、アウターソール１に固定した各第一のリボン２は、アッパーソックス６に形成された開口６ａ（図６参照）を通してアッパーソックス６とインナーソール５の間に挿通される。
【００４１】
図１０に示すように、第一のリボン２の長手方向両端部に形成されたリング状係止部３に靴紐７を挿通して靴紐７を結ぶ。図１１は、図１０からアッパーソックス６を取り除いた状態を示している。本実施形態の靴は、第一のリボン２と靴紐７を有しているが、第一のリボン２が靴紐７の機能を兼ねることも可能である。例えば、極めて長尺の第一のリボンを用いて、アウターソール１に設けた鋲に長尺の第一のリボンを固定して、その長尺の第一のリボンの両端部を結んだり、バックル等で固定することにより、図１０または図１１に示す靴紐７の機能を果たすようにすれば、靴紐７は不要になる。なお、長尺の第一のリボンを用いると、組み立て作業が手間取るので、締め付け力を容易に調整できるようにするために、靴紐を用いるのが好ましい。また、図１０に示すように、第一のリボン２の大部分をアッパーソックス６の下側に配置すると意匠性は向上するが、着用者の好みやデザイン性の理由から第一のリボン２をアッパーソックス６の上側に配置してもよい。
【００４２】
図１１に示すように、第一のリボン２はインナーソール５の上から足を締め付けるように巻き付けられているので、第一のリボン２の幅が狭すぎれば足を局所的に圧迫するような締め付け感を与えるし、逆に、第一のリボン２の幅が大きすぎれば、歩行時に足を屈曲しようとするときに抵抗体として作用するので歩きにくくなる。そこで、第一のリボン２の幅は、３ｍｍ以上３０ｍｍ以下であって靴紐より幅広であることが好ましい。さらに、第一のリボン２が適度の弾性を有すれば、一層履き心地が良くなる。そこで、第一のリボン２の５％伸張時の応力は、０．３〜２．５Ｎ／ｍｍであるのが好ましい。
【００４３】
なお、上記第１のリボン、第２のリボンにおける５％伸張時の応力は、JIS-L-1096：２０１０  ８．１４．１ＪＩＳ法（Ａ法カットストリップ法）に準じて、定速伸長型試験機を用い、リボンの長さ方向に２００ｍｍのつかみ間隔にて、引張速度２００ｍｍ／分で、伸長率が５％になったときの荷重を測定し、応力を以下のようにして算出して得られる値である。
Ｓ：５％伸長時の応力（Ｎ／ｍｍ）＝Ｌ／Ｗ
Ｌ：５％伸長時の荷重（Ｎ）
Ｗ：リボンの幅（ｍｍ）
第一のリボンと第二のリボンの５％伸張時の応力が０．３Ｎ／ｍｍ以上であることで足を拘束する力が十分で、靴の中で足が泳ぎにくく、２．５Ｎ／ｍｍ以下であることで、足を締め付ける力が強すぎることなく、着用者が痺れなどの不快を感じることもない。より好ましくは、第一のリボンと第二のリボンの５％伸張時の応力は、０．５〜２．０Ｎ／ｍｍである。
【００４４】
図１２に示すように、アウターソール１−１に固定された各第一のリボン２−１は、アッパーソックス６−１を外から覆うように配置され、図１２に示す各第一のリボン２−１の環状部の基部９に、図１３に示すように靴紐７を挿通して靴紐７を結ぶ。
【産業上の利用可能性】
【００４５】
本発明の靴は、各部品の組み合わせ方を変えることによって実際の様々な状況に応じて好適な構成を選択することができるので、日々の生活に潤いを与え、心地よい毎日を送ることができる、ファッション業界に対する貢献が極めて大きい発明である。
【符号の説明】
【００４６】
１    アウターソール
１−１  アウターソール
２    第一のリボン
２−１  第一のリボン
３    リング状係止部
４    第二のリボン
４ａ  面ファスナー
５    インナーソール
５ａ  面ファスナー
５−１  インナーソール
６    アッパーソックス
６−１  アッパーソックス
６ａ、６ｂ  開口
７    靴紐
８    鋲
９  基部
【図１】
2019163480.tif 000003
【図２】
2019163480.tif 000004
【図３】
2019163480.tif 000005
【図４】
2019163480.tif 000006
【図５】
2019163480.tif 000007
【図６】
2019163480.tif 000008
【図７】
2019163480.tif 000009
【図８】
2019163480.tif 000010
【図９】
2019163480.tif 000011
【図１０】
2019163480.tif 000012
【図１１】
2019163480.tif 000013
【図１２】
2019163480.tif 000014
【図１３】
2019163480.tif 000015
【国際調査報告】
2019163480.tif 000016
2019163480.tif 000017
2019163480.tif 000018
2019163480.tif 000019